(57)【要約】【課題】車両用電源ソケットに関し、複数の異なる電源電圧を１つのソケットで取り出すことができるようにする。【解決手段】車載される電子機器２の電源電圧として複数の異なる電圧を利用する車両において、車両用電源ソケット１が、電子機器２のプラグが差し込まれるソケット本体１ａと、複数の異なる電圧それぞれに対応する電気接点Ａ，Ｂとの接続を切り替えて、複数の異なる電圧の何れか１つを選択する切り替えスイッチ１ｃとを備えるように構成する。【選択図】図１
2011119112.tif 000002
【特許請求の範囲】
【請求項１】
車載される電子機器の電源電圧として複数の異なる電圧を利用する車両において、
前記電子機器のプラグが差し込まれるソケット本体と、
前記複数の異なる電圧それぞれに対応する電気接点との接続を切り替えて、前記複数の異なる電圧の何れか１つを選択する切り替えスイッチと、を備えた
ことを特徴とする、車両用電源ソケット。
【請求項２】
請求項１記載の車両用電源ソケットと、
端子電圧が等しい２個の電池を直列に接続した電源と、
前記２個の電池を充電する発電機と、
前記発電機から電力が入力され、前記２個の電池の各電圧が同一になるように出力電流を調整する電圧調整器と、を備え、
前記切り替えスイッチは、前記２個の電池のうちの１個の電池に並列接続される第１電気接点と、前記２個の電池に並列接続される第２電気接点とのうちの何れかの電気接点と接続する
ことを特徴とする、車両用電源装置。
【発明の詳細な説明】
【技術分野】
【０００１】
本発明は、車室内において対応電圧が異なる電子機器を利用することができるようにした、車両用電源ソケット及び電源装置に関するものである。
【背景技術】
【０００２】
乗用車等の車両の車室内において、例えば特許文献１に開示されているように、シガーライターソケットから電力を取り出すことが行なわれている。このシガーライターソケットには一般的に１２Ｖの電源電圧が供給されており、シガーライターソケットにプラグを差し込むことによって、ナビゲーションやオーディオやＥＴＣといった１２Ｖ対応の電子機器（アクセサリ）を車室内で使用することが可能となっている。
【先行技術文献】
【特許文献】
【０００３】
【特許文献１】特開平１０−３２６６４８号公報
【発明の概要】
【発明が解決しようとする課題】
【０００４】
ところで、トラック等の大型車両においては、１２Ｖ対応の電子機器に加えて２４Ｖ対応の電子機器（例えば冷蔵庫）を使用するために、１２Ｖと２４Ｖとの２種類の電圧を車室内で取り出せるようにすることが望まれている。
このような要望に応えて、シガーライターソケットに加えて２４Ｖ用の電源ソケットを装備すると、部品点数が増加し設置場所の確保も困難になるという課題がある。
【０００５】
本発明はこのような課題に鑑みて案出されたもので、複数の異なる電源電圧を１つのソケットで取り出すことができるようにした、車両用電源ソケット及び電源装置を提供することを目的とする。
【課題を解決するための手段】
【０００６】
上記目的を達成するため、本発明の車両用電源ソケットは、車載される電子機器の電源電圧として複数の異なる電圧を利用する車両において、前記電子機器のプラグが差し込まれるソケット本体と、前記複数の異なる電圧それぞれに対応する電気接点との接続を切り替えて、前記複数の異なる電圧の何れか１つを選択する切り替えスイッチとを備えたことを特徴としている。
【０００７】
また、本発明の車両用電源装置は、上記の車両用電源ソケットと、端子電圧が等しい２個の電池を直列に接続した電源と、前記２個の電池を充電する発電機と、前記発電機から電力が入力され、前記２個の電池の各電圧が同一になるように出力電流を調整する電圧調整器とを備え、前記切り替えスイッチは、前記２個の電池のうちの１個の電池に並列接続される第１電気接点と、前記２個の電池に並列接続される第２電気接点とのうちの何れかの電気接点と接続することを特徴としている。
【発明の効果】
【０００８】
本発明の車両用電源ソケットによれば、電源ソケットに切り替えスイッチを備えたので、１つのソケットで複数の異なる電源電圧を取り出すことができ、車室内において、簡素な構成で複数の異なる電圧対応の電子機器を使用することができる。また、本発明の電源ソケットを既存のシガーライターソケットに置き換えれば、本発明の電源ソケット用の新たな設置場所を用意する必要がないという利点がある。
【図面の簡単な説明】
【０００９】
【図１】本発明の一実施形態に係る車両用電源ソケットを備えた電源装置の模式的な電気回路図である。
【図２】本発明の一実施形態に係る車両用電源ソケットに電子機器のプラグを差し込む状態を示す模式的な斜視図である。
【発明を実施するための形態】
【００１０】
以下、図面により本発明の車両用電源ソケット及び電源装置の実施の形態について説明する。
＜構成＞
図１に示す本実施形態の車両用電源ソケット１は、基本構造は周知のシガーライターソケットと同様であって、図２に示すように車両のインストルメントパネル１０に設置されており、図１及び図２に示すように、ソケット本体１ａと固定端子１ｂとバイメタル（図示略）とを備え、さらに、本電源ソケット１に特有のものとして、切り替えスイッチ１ｃと操作手段１ｄとを備えている。
【００１１】
ソケット本体１ａは筒状に形成され、電子機器２のプラグ２ａが差し込まれるようになっている。固定端子１ｂはソケット本体１ａの底部に露出して配置され、後述する第１バッテリ３及び第２バッテリ４からなる電源５に切り替えスイッチ１ａを介してリード線で接続されているとともに、プラグ２ａの接触子２ｂに接触するようになっている。
切り替えスイッチ１ｃは、供給される電圧が１２Ｖと２４Ｖとの何れかになるように接点を切り替え可能に構成されている。操作手段１ｄは、乗員によって押圧操作され、切り替えスイッチ１ｃの接点を切り替えるようになっている。操作手段１ｄは、図２に示すように、本実施形態ではシーソー式スイッチで構成されている。操作手段１ｄの車内に露出した表面の一端部には「１２Ｖ」の文字が表示されるとともに他端部には「２４Ｖ」の文字が表示されて、乗員が１２Ｖ側の一端部を押すと、切り替えスイッチ１ｃの接点が１２Ｖ供給側に切り替わるようになっている。
【００１２】
また、電源ソケット１が装備される車両の電源装置（車両用電源装置）には、上述した第１バッテリ３及び第２バッテリ４が電源５として備えられている。第１バッテリ３と第２バッテリ４とは何れも端子電圧が１２Ｖであり、第１バッテリ３を上流側として直列に接続されている。また、第１バッテリ３及び第２バッテリ４は、車両のエンジン（内燃機関；図示略）により駆動されるオルタネータ（発電機）６の出力する電力によって充電されるようになっている。
【００１３】
上記電源装置はまた、バッテリ電圧調整器７を備えている。バッテリ電圧調整器７は、オルタネータ６から電力が入力されるとともに、第１バッテリ３の電圧と第２バッテリ４の電圧とが略同一になるように出力電流を調整し、且つ、１２Ｖの電力を第２バッテリ４に出力するようになっている。
電源ソケット１の切り替えスイッチ１ｃは、１２Ｖが供給される第１電気接点Ａと２４Ｖが供給される第２電気接点Ｂとの間で、第１バッテリ３及び第２バッテリ４との接続を切り替えるようになっている。換言すれば、第１電気接点Ａは第２バッテリ４にのみ並列接続され、第２電気接点Ｂは第１バッテリ３及び第２バッテリ４の２個に並列接続される電気回路を形成するようになっている。そして、固定端子１ｂに切り替えスイッチ１ｃによって選択された電圧が供給され、ソケット本体１ａにプラグ２ａが差し込まれることで、電源ソケット１の固定端子１ｂとプラグ２ａの接触子２ｂとが接触し、ケーブル２ｃを介して電子機器２に電力が供給されるようになっている。
【００１４】
＜作用・効果＞
本発明の一実施形態に係る車両用電源ソケットは上述のように構成されているので、以下のような作用および効果を奏する。
電源ソケット１に切り替えスイッチ１ｃを設けたので、１つのソケットで、１２Ｖと２４Ｖとの２種類の電圧を車室内で取り出すことができる。その結果、車室内において、２種類の異なる電圧対応の電子機器（例えば、ナビゲーション，オーディオ，ＥＴＣ，冷蔵庫等）を簡素な構成で使用することができる。また、１つのソケットで電圧を切り替え可能に構成したので、例えば周知のシガーライターソケットを本実施形態の電源ソケット１に置き換えれば、２種類の電圧を取り出す構成のために新たに設置場所を確保する必要がないという利点がある。
【００１５】
［その他］
以上、本発明の実施形態について説明したが、本発明は、上記実施形態に限定されず、本発明の趣旨を逸脱しない範囲で種々変更することが可能である。
例えば、上記実施形態では、電源ソケット１及び電源装置は１２Ｖと２４Ｖとで電圧を切り替え可能に構成したが、２種類の異なる電圧であれば１２Ｖと２４Ｖ以外の電圧を切り替え可能にしても良い。また、２種類以上の異なる電圧を切り替え可能に構成しても良い。
【００１６】
また、上記実施形態では、操作手段１ｄをシーソー式スイッチで構成したが、操作手段１ｄの構成はこれに限定されない。例えば、操作手段１ｄを押圧ボタンで構成し、ボタンをＯＮしているときには切り替えスイッチ１ｃは２４Ｖ側の第２電気接点Ｂに接続されて２４Ｖの電圧が供給され、一方、ＯＦＦしているときには切り替えスイッチ１ｃは１２Ｖ側の第２電気接点Ａに接続されて１２Ｖの電圧が供給されるようにしても良い。また、例えば、操作手段１ｄを回転式ダイヤルで構成しても良い。なお、１２Ｖの第１電気接点Ａとの接続を常態にしておき、必要に応じて２４Ｖの第２電気接点Ｂとの接続に切り替えるようにすると、実際には電子機器としては１２Ｖ対応のものを利用することが頻繁であるので、実際に即していて好ましく、また、１２Ｖ対応のものを２４Ｖの電源に接続してしまう誤操作を防止することができる。
【００１７】
また、上記実施形態では、電源ソケット１をインストルメントパネル１０に設置したが、設置場所はこれに限定されず、例えばコンソールボックスに設置しても良い。
【符号の説明】
【００１８】
１  電源ソケット
１ａ  ソケット本体
１ｂ  固定端子
１ｃ  切り替えスイッチ
１ｄ  操作手段
２  電子機器
２ａ  プラグ
２ｂ  接触子
２ｃ  ケーブル
３  第１バッテリ
４  第２バッテリ
５  電源
６  オルタネータ（発電機）
７  バッテリ電圧調整器
１０  インストルメントパネル
【図１】
2011119112.tif 000003
【図２】
2011119112.tif 000004